(57)【特許請求の範囲】
【請求項１】
第１光ケーブルに内蔵された第１光ファイバ心線と第２光ケーブルに内蔵された第２光ファイバ心線とを接続する光ファイバ接続用クロージャにおいて、
前記第１光ファイバ心線と前記第２光ファイバ心線との接続部分を収容するための心線接続トレイと、
前記心線接続トレイの上側に配置され、前記第１光ケーブルの中間部分の外被を除去して露出された前記第１光ファイバ心線を収容するための心線通過トレイとを備え、
前記心線通過トレイは、前記心線接続トレイに対して上方に傾くように回動可能に設けられており、
前記心線通過トレイの下部には、前記第１光ファイバ心線と前記第２光ファイバ心線とを接続するときに切断された前記第１光ファイバ心線同士の再接続部を収容するための下部延ばしトレイが設けられており、
前記下部延ばしトレイは、前記心線通過トレイに対して開閉可能に取り付けられていることを特徴とする光ファイバ接続用クロージャ。
【請求項２】
前記心線接続トレイの側方に配置され、前記心線通過トレイと前記心線接続トレイとの間に存在する前記第１光ファイバ心線の余長を収容するための余長収容部とを更に備え、
前記余長収容部は、ベース板と、前記ベース板に開閉自在に設けられ、前記第１光ファイバ心線を前記ベース板に対して押さえる押さえ板とを有することを特徴とする請求項１記載の光ファイバ接続用クロージャ。
【請求項３】
前記ベース板は、前記心線接続トレイの左右両側に設けられ、
前記押さえ板は、前記ベース板に対して着脱可能に取り付けられていることを特徴とする請求項２記載の光ファイバ接続用クロージャ。
【発明の詳細な説明】
【技術分野】
【０００１】
本発明は、例えば局側光ケーブルと加入者側光ケーブルとを接続する光ファイバ接続用クロージャに関するものである。
【背景技術】
【０００２】
従来の光ファイバ接続用クロージャとしては、例えば特許文献１に記載されているものが知られている。特許文献１に記載の光ファイバ接続用クロージャは、積層状態に配置され、光ケーブルの主心線の接続部及び心線余長を収納する複数の成端トレイと、この成端トレイの下部に配置され、スプリッタモジュールを収納するスプリッタトレイと、成端トレイの上部に配置され、光ケーブルの主心線を収納するセンタートレイとを備えている。
【先行技術文献】
【特許文献】
【０００３】
【特許文献１】特開２００７−１２１６０３号公報
【発明の概要】
【発明が解決しようとする課題】
【０００４】
しかしながら、上記従来技術においては、以下の問題点が存在する。即ち、積層状態の複数の成端トレイ（心線接続トレイ）の上部にはセンタートレイが配置されているため、心線接続トレイにおいて光ファイバの接続作業を行う際に、センタートレイが邪魔になる。従って、心線接続トレイに対する作業空間を確保するために、複数の心線接続トレイを一旦前に引き出す必要がある。この場合には、心線接続トレイを前後に移動させる機構が必要となるため、クロージャの構造が全体的に複雑化し、コストアップにつながる。また、心線接続トレイの前後移動により光ファイバに引っ張りや急激な曲げが加わることで、光ファイバの伝送特性に影響を与える可能性がある。
【０００５】
本発明の目的は、単純な構造で、心線接続トレイに対する作業空間を確保することができる光ファイバ接続用クロージャを提供することである。
【課題を解決するための手段】
【０００６】
本発明は、第１光ケーブルに内蔵された第１光ファイバ心線と第２光ケーブルに内蔵された第２光ファイバ心線とを接続する光ファイバ接続用クロージャにおいて、第１光ファイバ心線と第２光ファイバ心線との接続部分を収容するための心線接続トレイと、心線接続トレイの上側に配置され、第１光ケーブルの中間部分の外被を除去して露出された第１光ファイバ心線を収容するための心線通過トレイとを備え、心線通過トレイは、心線接続トレイに対して上方に傾くように回動可能に設けられており、心線通過トレイの下部には、第１光ファイバ心線と第２光ファイバ心線とを接続するときに切断された第１光ファイバ心線同士の再接続部を収容するための下部延ばしトレイが設けられており、下部延ばしトレイは、心線通過トレイに対して開閉可能に取り付けられていることを特徴とするものである。
【０００７】
このような本発明の光ファイバ接続用クロージャにおいては、第１光ケーブルの中間部分の外被を除去して露出された第１光ファイバ心線を切断し、その第１光ファイバ心線と第２光ケーブルの第２光ファイバ心線とを接続する。そして、第１光ファイバ心線と第２光ファイバ心線との接続部分を心線接続トレイに収容すると共に、切断していない第１光ファイバ心線を心線通過トレイに収容する。ここで、心線通過トレイを心線接続トレイに対して上方に傾けた状態では、心線接続トレイの上側に作業空間が形成されるようになる。従って、第１光ファイバ心線と第２光ファイバ心線とを接続し、その接続部分を心線接続トレイに収容する作業を行う際には、心線通過トレイを心線接続トレイに対して上方に傾けるだけで良い。このため、特に心線接続トレイを前方に引き出すための機構を設けなくて済む。これにより、単純な構造で、心線接続トレイに対する作業空間を確保することができる。
【０００８】
また、第１光ファイバ心線と第２光ファイバ心線との接続が不要となった場合には、両者の接続を外し、第１光ファイバ心線と第２光ファイバ心線とを接続するときに切断された第１光ファイバ心線同士を再接続し、その再接続部分を下部延ばしトレイに収容する。このような下部延ばしトレイを心線通過トレイに対して開閉可能に取り付けることにより、クロージャ内に大きなスペースをとったり第１光ファイバ心線の配線を煩雑にすること無く、第１光ファイバ心線同士の再接続（下部延ばし）処理に対応することができる。
【０００９】
また、好ましくは、心線接続トレイの側方に配置され、心線通過トレイと心線接続トレイとの間に存在する第１光ファイバ心線の余長を収容するための余長収容部とを更に備え、余長収容部は、ベース板と、ベース板に開閉自在に設けられ、第１光ファイバ心線をベース板に対して押さえる押さえ板とを有する。このような余長収容部を設けることにより、心線通過トレイと心線接続トレイとの間に存在する第１光ファイバ心線を余長処理しながら保護することができる。
【００１０】
このとき、好ましくは、ベース板は、心線接続トレイの左右両側に設けられ、押さえ板は、ベース板に対して着脱可能に取り付けられている。余長収容部は、光ファイバ接続用クロージャの用途上、クロージャの上流側にのみあれば十分である。従って、クロージャの左側が上流側である場合は、押さえ板を左側のベース板に取り付け、クロージャの右側が上流側である場合は、押さえ板を右側のベース板に取り付けるようにする。このようにクロージャの上流側の位置に応じて押さえ板を付け替えることにより、押さえ板を心線接続トレイの左右両側に設けなくて済む。
【発明の効果】
【００１１】
本発明によれば、単純な構造で、心線接続トレイに対する作業空間を確保することができる。これにより、心線接続トレイを前方に引き出すための機構が不要となるため、光ファイバ心線に引っ張りや急激な曲げが加わることが抑制され、光ファイバ心線の伝送特性に影響を与えることが防止されると共に、低コスト化を図ることが可能となる。
【図面の簡単な説明】
【００１２】
【図１】本発明に係わる光ファイバ接続用クロージャの一実施形態を示す斜視図である。
【図２】図１に示した光ファイバ接続用クロージャにおける主要なトレイを除いた部分を示す斜視図である。
【図３】図１に示した心線接続トレイ群の斜視図である。
【図４】図３に示した心線接続トレイにおける光ファイバ心線の配線形態を示す平面図である。
【図５】図１に示した心線通過トレイの斜視図である。
【図６】図１に示した光ファイバ接続用クロージャにおいて心線通過トレイが上方に傾斜した状態を示す斜視図である。
【図７】図１に示した光ファイバ接続用クロージャにおいて下部延ばしトレイが心線通過トレイに対して開いた状態を示す斜視図である。
【図８】図７に示した下部延ばしトレイを心線通過トレイと共に示す斜視図である。
【図９】図１に示した余長収容ポケットの開閉状態を示す斜視図である。
【図１０】図１に示した光ファイバ接続用クロージャにおいて主要なトレイがトレイ押さえ板によりフレーム体に対して固定された状態を示す斜視図である。
【発明を実施するための形態】
【００１３】
以下、本発明に係わる光ファイバ接続用クロージャの好適な実施形態について、図面を参照して詳細に説明する。
【００１４】
図１は、本発明に係わる光ファイバ接続用クロージャの一実施形態を示す斜視図である。同図において、本実施形態の光ファイバ接続用クロージャ（以下、単にクロージャ）１は、架空において局側の幹線主ケーブル２に内蔵された光ファイバ心線３と加入者側の分岐ケーブル４に内蔵された光ファイバ心線５とを接続する機器であり、ＰＤＳ（Passive Double Star）回線システムにおいて使用される。
【００１５】
クロージャ１は、幹線主ケーブル２及び分岐ケーブル４が導入される筐体（図示せず）に固定されるフレーム体６を備えている。図２に示すように、フレーム体６の中央部には、トレイ固定ベース板７が取り付けられている。また、フレーム体６におけるトレイ固定ベース板７の左右両側には、トレイ固定ベース板８がそれぞれ取り付けられている。
【００１６】
トレイ固定ベース板７には、複数（ここでは４つ）の心線接続トレイ群９が固定されている。心線接続トレイ群９は、図３に示すように、互いに開閉可能な複数枚（ここでは４枚）の心線接続トレイ１０からなっている。
【００１７】
心線接続トレイ１０は、長手方向に一列に配置された心線収容部１１〜１３を有している。心線収容部１２は、心線収容部１１，１３の間に設けられている。
【００１８】
心線収容部１１の奥側（背面側）端部には、光ファイバ心線を導入するための心線導入部１４が設けられている。心線収容部１１における心線収容部１２に隣接した部位には、異なる光ファイバ心線同士の融着接続部Ｓ１（図４参照）を位置決めして装着するための接続部装着部１５が設けられている。接続部装着部１５は、心線接続トレイ１０の奥行き方向に延びるように設けられている。心線収容部１１には、光ファイバ心線の余長を巻いて収容するときに光ファイバ心線をガイドするための余長ガイド部１６が設けられている。また、心線収容部１１には、光ファイバ心線を押さえるための複数の押さえ板１７が設けられている。
【００１９】
心線収容部１３の奥側端部には、光ファイバ心線を導入するための心線導入部１８が設けられている。心線収容部１３における心線収容部１２に隣接した部位には、異なる光ファイバ心線同士の融着接続部Ｓ２（図４参照）を位置決めして装着するための接続部装着部１９が設けられている。接続部装着部１９は、心線接続トレイ１０の奥行き方向に延びるように設けられている。心線収容部１３には、光ファイバ心線の余長を巻いて収容するときに光ファイバ心線をガイドするための余長ガイド部２０が設けられている。また、心線収容部１３には、光ファイバ心線を押さえるための複数の押さえ板２１が設けられている。
【００２０】
心線収容部１１，１２の境界部分の奥側端部には、心線収容部１１，１２間で光ファイバ心線を導くための心線ガイド部２２が設けられている。心線収容部１２，１３の境界部分の奥側端部には、心線収容部１２，１３間で光ファイバ心線を導くための心線ガイド部２３が設けられている。
【００２１】
心線収容部１２には、光スプリッタ２４（図４参照）を位置決めして装着するためのスプリッタ装着部２５が設けられている。スプリッタ装着部２５は、心線収容部１２の奥側端部の近傍に配置されている。心線収容部１２には、光ファイバ心線の余長を巻いて収容するときに光ファイバ心線をガイドするための余長ガイド部２６が設けられている。また、心線収容部１２には、光ファイバ心線を押さえるための複数の押さえ板２７が設けられている。
【００２２】
光スプリッタ２４は、図４に示すように、１つの光信号を８つの光信号に分岐させる（１×８）型の光分岐器であり、１本の入力光ファイバ心線２８と複数本の出力光ファイバ心線２９とを有している。入力光ファイバ心線２８は、例えば線径が０．２５ｍｍの単心光ファイバ心線である。入力光ファイバ心線２８の許容曲げ半径Ｒは、３０ｍｍまたは１５ｍｍである。出力光ファイバ心線２９は、例えば４心ファイバテープ心線で形成されている。なお、出力光ファイバ心線２９は、補強された単心光ファイバ心線であっても良く、この場合の許容曲げ半径Ｒは、３０ｍｍまたは１５ｍｍである。
【００２３】
心線収容部１１〜１３には、複数種類の光ファイバ心線がファイバ上流側（幹線主ケーブル２側）からファイバ下流側（分岐ケーブル４側）に向かって順番に渡るように収容される。
【００２４】
具体的には、心線収容部１１には、幹線主ケーブル２から延び出た１本の光ファイバ心線３０と光スプリッタ２４の入力光ファイバ心線２８との接続部分が収容される。光ファイバ心線３０は、上記の光ファイバ心線３（ここでは４心光ファイバテープ心線）を単心分離させて切断した単心光ファイバ心線である。光ファイバ心線３０の線径は０．２５ｍｍであり、光ファイバ心線３０の許容曲げ半径Ｒは３０ｍｍである。従って、心線収容部１１には、心線種が同じである単心の光ファイバ心線２８，３０が収容されることになる。
【００２５】
光ファイバ心線３０は、心線導入部１４から心線収容部１１に導入される。入力光ファイバ心線２８は、心線収容部１２から心線ガイド部２２を通って心線収容部１１に導入され、更に余長ガイド部１６に沿って巻回される。
【００２６】
光ファイバ心線３０と入力光ファイバ心線２８との融着接続部Ｓ１は、接続部装着部１５に装着される。接続部装着部１５は、心線収容部１１における心線収容部１２に隣接した部位に心線接続トレイ１０の奥行き方向に延びるように設けられているので、心線導入部１４から接続部装着部１５までの光ファイバ心線３０の長さを必要最小限に短くすることができる。
【００２７】
心線収容部１２には、光スプリッタ２４の入力光ファイバ心線２８及び出力光ファイバ心線２９が光スプリッタ２４と共に収容される。光スプリッタ２４は、スプリッタ装着部２５に装着される。スプリッタ装着部２５は心線収容部１２の奥側端部付近に設けられているので、心線導入部２２からスプリッタ装着部２５までの入力光ファイバ心線２８の長さが十分短くなる。出力光ファイバ心線２９は、余長ガイド部２６に沿って巻回される。このとき、入力光ファイバ心線２８は余長ガイド部２６に沿って１周以上巻かれていないので、心線収容部１２において心線種が異なる光ファイバ心線２８，２９の混在が抑えられ、光ファイバ心線２８，２９が取り出しにくくなることは無い。
【００２８】
心線収容部１３には、複数の出力光ファイバ心線２９と複数の光ファイバ心線５との接続部分が収容される。光ファイバ心線５は、出力光ファイバ心線２９と同様に４心ファイバテープ心線で形成されていても良いし、線径が０．５ｍｍまたは０．２５ｍｍの単心光ファイバ心線であっても良い。
【００２９】
出力光ファイバ心線２９と光ファイバ心線５との融着接続部Ｓ２は、接続部装着部１９に装着される。出力光ファイバ心線２９及び光ファイバ心線５は、余長ガイド部２０に沿って巻回される。ただし、出力光ファイバ心線２９及び光ファイバ心線５の何れか一方は、余長ガイド部２０に沿って１周以上巻かれることは無い。このため、心線収容部１３において心線種が異なる光ファイバ心線５，２９の混在が抑えられ、光ファイバ心線５，２９が取り出しにくくなることは無い。
【００３０】
図１に戻り、心線接続トレイ群９の下側には、補助心線接続トレイ３１，３２が配置されている。補助心線接続トレイ３１，３２は、図２に示すように、トレイ固定ベース板７に上下方向に回動可能に取り付けられている。
【００３１】
心線接続トレイ群９の上側には、心線通過トレイ３３が配置されている。心線通過トレイ３３は、幹線主ケーブル２の中間部分の外被を除去して露出された複数本の光ファイバ心線３及びそれを単心分離させた光ファイバ心線３０を収容するためのトレイである。単心分離された複数本の光ファイバ心線３０のうち一部の光ファイバ心線３０は、切断されて上記の光スプリッタ２４と接続され、残りの光ファイバ心線３０は、心線通過トレイ３３にそのまま通過するように収容される。
【００３２】
図５に示すように、心線通過トレイ３３の両端部には、光ファイバ心線３（光ファイバ心線３０を含む）を導入するための心線導入部３４がそれぞれ設けられている。また、心線通過トレイ３３には、光ファイバ心線３を押さえるための複数の押さえ板３５が設けられている。
【００３３】
心線通過トレイ３３は、各トレイ固定ベース板８（図２参照）に上下方向に回動可能に取り付けられている。これにより、心線通過トレイ３３は、図６に示すように、心線接続トレイ群９に対して上方に傾くことが可能となる。このとき、心線通過トレイ３３は、回転軸部のロック機構等の保持手段によって、心線接続トレイ群９に対して上方に３０度程度傾いた状態で保持可能となるように構成されている。各トレイ固定ベース板８には、通常状態において心線通過トレイ３３を載せるための支持アーム３６が設けられている。
【００３４】
心線通過トレイ３３を上方に傾けたときは、心線通過トレイ３３の心線導入部３４が幹線主ケーブル２に近づくようになるため、光ファイバ心線３の引きつれが発生せず、光ファイバ心線３に与える影響は少ない。
【００３５】
心線通過トレイ３３の下部には、図７及び図８に示すように、下部延ばしトレイ３７が心線通過トレイ３３に対して奥側（背面側）の回転軸を中心として開閉可能に設けられている。下部延ばしとは、例えば加入者が光通信の契約を解除したために光スプリッタ２４を撤去する場合に、光スプリッタ２４の入力光ファイバ心線２８と光ファイバ心線３０との接続を外し、その光ファイバ心線３０を元の光ファイバ心線３０と再度接続する、つまり切断された光ファイバ心線３０同士を再度接続することである。下部延ばしトレイ３７は、下部延ばしを実施した光ファイバ心線３０同士の再接続部を収容するためのトレイである。
【００３６】
下部延ばしトレイ３７の両端部には、光ファイバ心線３０を導入するための心線導入部３８がそれぞれ設けられている。下部延ばしトレイ３７には、切断された光ファイバ心線３０同士の融着接続部を位置決めして装着する接続部装着部３９が設けられている。また、下部延ばしトレイ３７には、光ファイバ心線３０を押さえるための複数の押さえ板４０が設けられている。
【００３７】
心線通過トレイ３３の手前側（前面側）の先端には、下部延ばしトレイ３７が心線通過トレイ３３に対して閉じられたときに、心線通過トレイ３３と下部延ばしトレイ３７とを係止するための２つのフック部４１が設けられ、下部延ばしトレイ３７の先端には、各フック部４１と係合する２つの突部４２が設けられている。各フック部４１を各突部４２に引っ掛けることで、下部延ばしトレイ３７が心線通過トレイ３３に対して閉じられた状態に保持される。これにより、心線通過トレイ３３と下部延ばしトレイ３７とは、それぞれ別個に、あるいは一体となって回動、開閉可能となる。
【００３８】
心線接続トレイ群９の左右いずれか一方の側には、心線接続トレイ１０と心線通過トレイ３３との間に存在する光ファイバ心線３０の余長を収容する余長収容ポケット４３が設けられている。余長収容ポケット４３は、クロージャ１の上流側に対応する側に設けられている。ここでは、クロージャ１の左側が上流側であるとして、余長収容ポケット４３は心線接続トレイ群９の左側に設けられている。
【００３９】
余長収容ポケット４３は、図９に示すように、トレイ固定ベース板８の一部を形成するポケットベース板４４と、このポケットベース板４４に着脱可能に取り付けられ、心線接続トレイ１０と心線通過トレイ３３との間に存在する光ファイバ心線３０をポケットベース板４４に対して押さえる押さえ板４５とからなっている。
【００４０】
ポケットベース板４４には、手前側に延びる係止突起部４６が突設されている。押さえ板４５には、係止突起部４６と係合する２つの係止窓穴４７が左右に形成されている。押さえ板４５の下部には、押さえ板４５をポケットベース板４４に対して上下方向に開閉させるためのヒンジ部４５ａが設けられている。２つの係止窓穴４７の何れか一方を係止突起部４６の先端部に引っ掛けることで押さえ板４５をポケットベース板４４に対して閉じたときは、余長収容ポケット４３の上方に向かって空間が大きくなるように押さえ板４５がポケットベース板４４に対して傾斜した状態となる。このため、心線通過トレイ３３から導出された光ファイバ心線３０を無理なく配線して心線接続トレイ１０に収容することが可能となる。
【００４１】
また、押さえ板４５をポケットベース板４４に対して着脱可能な構造とすることにより、クロージャ１の上流側の位置に応じて押さえ板４５を付け替えれば良いため、押さえ板４５としては１枚だけあれば足り、部品点数の削減に寄与することができる。
【００４２】
補助心線接続トレイ３２には、図１０に示すように、心線接続トレイ群９、補助心線接続トレイ３１，３２、心線通過トレイ３３及び下部延ばしトレイ３７をフレーム体６に対して動かないように固定するためのトレイ押さえ板４８が取り付けられている。
【００４３】
以上のように本実施形態のクロージャ１にあっては、心線通過トレイ３３をトレイ固定ベース板７に上下方向に回動可能に取り付けたので、心線通過トレイ３３を下部延ばしトレイ３７と共に心線接続トレイ群９に対して上方に傾けることで、心線接続トレイ群９の上方に作業空間が形成されるようになる。このため、心線接続トレイ１０に対する作業空間を確保するために心線接続トレイ群９を手前側に引き出さなくて済む。従って、心線接続トレイ群９を移動させるための機構が不要となるため、クロージャ１の構造が簡素化され、低コスト化を図ることができる。また、心線接続トレイ群９の移動によって光ファイバ心線に引っ張りや急激な曲げが加わることが抑制されるため、光ファイバ心線の伝送特性に悪影響を及ぼすことを防止できる。
【００４４】
また、心線接続トレイ群９の一側に、心線接続トレイ１０と心線通過トレイ３３との間に存在する光ファイバ心線３０の余長を収容する余長収容ポケット４３を設けたので、光ファイバ心線３０を保護することができる。
【００４５】
なお、本発明は、上記実施形態に限定されるものではない。例えば上記実施形態では、心線接続トレイ１０が心線収容部１１〜１３を有しているが、心線接続トレイにおける心線収容部の数としては、特に３つには限られず、２つ以下でも良いし、４つ以上でも良い。
【００４６】
また、上記実施形態では、心線接続トレイ群９の一側のみに余長収容ポケット４３を設けたが、余長収容ポケット４３を心線接続トレイ群９の左右両側に設けても良い。この場合には、作業者が押さえ板４５をいちいち付け替えなくて済む。
【００４７】
さらに、上記実施形態のクロージャ１は、幹線主ケーブル２の光ファイバ心線３と分岐ケーブル４の光ファイバ心線５との間に光スプリッタ２４を介在させる接続形態であるが、本発明は、幹線主ケーブル２の光ファイバ心線３と分岐ケーブル４の光ファイバ心線５とを接続するものであれば適用可能である。
【符号の説明】
【００４８】
１…光ファイバ接続用クロージャ、２…幹線主ケーブル（第１光ケーブル）、３…光ファイバ心線（第１光ファイバ心線）、４…分岐ケーブル（第２光ケーブル）、５…光ファイバ心線（第２光ファイバ心線）、１０…心線接続トレイ、１１〜１３…心線収容部、３０…光ファイバ心線（第１光ファイバ心線）、３３…心線通過トレイ、３７…下部延ばしトレイ、４３…余長収容ポケット（余長収容部）、４４…ポケットベース板、４５…押さえ板。 
【図１】
0005425874.tif 000002
【図２】
0005425874.tif 000003
【図３】
0005425874.tif 000004
【図４】
0005425874.tif 000005
【図５】
0005425874.tif 000006
【図６】
0005425874.tif 000007
【図７】
0005425874.tif 000008
【図８】
0005425874.tif 000009
【図９】
0005425874.tif 000010
【図１０】
0005425874.tif 000011